(57)【要約】【課題】飲料を流し出す際の利便性が向上された飲料抽出器の提供。【解決手段】飲料抽出器は、ポット本体２とこれを載せるポット座台３とを備える。ポット本体２は、平盤状の底壁部２１と、底壁部２１の外周縁から上に筒状延伸した周壁部２２と、下に向かって底壁部２１から所定の軸線を中心とする円環状に突出する凸環部２３と、上記軸線と所定距離を置いた位置で底壁部２１を貫通する貫通孔２１２とを有する。ポット座台３は、底壁部２１が載せられるように平盤状に形成された基部３１と、基部３１における底壁部２１の底面と接触する面である当接面３１１と、凸環部２３と凹凸対応するように当接面３１１側から上記軸線を中心とする円環状に窪むように形成された環状溝３１３と、当接面３１１における上記軸線と上記所定距離と同じ距離を置いた位置に入水口を有すると共に基部３１を貫通するように設けられた液体流出経路３１２とを有する。【選択図】図２
0003196070.tif 000002
【実用新案登録請求の範囲】
【請求項１】
液体を収容するポット本体と、前記ポット本体を載せるポット座台と、を備え、
前記ポット本体は、
平盤状の底壁部と、前記底壁部の外周縁から立ち上がるように延伸し、上に開口している筒状に形成された周壁部と、前記周壁部の延伸方向と反対の方向に向かって前記底壁部から所定の軸線を中心とする円環状に突出するように形成された凸環部と、前記軸線と所定距離を置いた位置で前記底壁部を貫通するように設けられた貫通孔と、を有し、
前記ポット座台は、
前記ポット本体の前記底壁部が載せられるように平盤状に形成された基部と、前記基部における前記底壁部の底面と接触する面である当接面と、前記ポット本体の前記凸環部と凹凸対応するように前記当接面側から前記軸線を中心とする円環状に窪むように前記基部に形成された環状溝と、前記当接面における前記軸線と前記所定距離と同じ距離を置いた位置に入水口を有すると共に前記基部を貫通するように設けられた液体流出経路と、を有することを特徴とする飲料抽出器。
【請求項２】
前記液体流出経路は、前記入水口と連通していると共に前記基部の前記当接面と反対の面である底面側に開口している出水口を有することを特徴とする請求項１に記載の飲料抽出器。
【請求項３】
前記液体流出経路の前記出水口は、前記環状溝の円周の内側に位置することを特徴とする請求項２に記載の飲料抽出器。
【請求項４】
前記液体流出経路の前記出水口は、前記環状溝の円周の外側に位置することを特徴とする請求項２に記載の飲料抽出器。
【請求項５】
前記ポット座台は、前記基部の前記底面に連結されていると共に前記底面の外側まで延伸するように形成されたガイド部を更に有し、前記液体流出経路は前記基部及び前記ガイド部を共に貫通するように設けられており、前記出水口は前記ガイド部に形成されていることを特徴とする請求項４に記載の飲料抽出器。
【請求項６】
前記ポット本体の内部に設けられるフィルターを更に備え、
前記ポット本体は、前記フィルターを支えることができるように前記周壁部の内側で前記底壁部から上方に突設されたリム部を更に有することを特徴とする請求項１〜請求項５のいずれか一項に記載の飲料抽出器。
【請求項７】
上から前記ポット本体の内部を覆うように前記ポット本体に着脱自在に設けられる蓋を更に備え、
前記蓋には、前記ポット本体の内部と外部を連通する通気孔が開けられていることを特徴とする請求項１〜請求項６のいずれか一項に記載の飲料抽出器。
【請求項８】
前記蓋は、前記ポット本体の前記周壁部の上端に被せられるように形成された上壁と、前記上壁の周縁部から下方に延伸するように形成され、前記上壁が前記周壁部の上端に被せられた際に前記ポット本体の内部に入り込む環状突起とを有し、前記通気孔は前記上壁を貫通するように設けられていることを特徴とする請求項７に記載の飲料抽出器。
【請求項９】
前記凸環部と前記環状溝とは、互いに摺動できるように形成されており、
前記ポット本体は、前記ポット座台に対して、前記凸環部の前記環状溝に対する摺動により、前記貫通孔と前記液体流出経路とが連通する出水位置と、前記貫通孔と前記液体流出経路とが連通しない非出水位置との間で回動可能に構成されていることを特徴とする請求項１または請求項５に記載の飲料抽出器。
【考案の詳細な説明】
【技術分野】
【０００１】
本考案は、飲料抽出器に関し、特には茶を淹れるのに適した飲料抽出器に関するものである。
【背景技術】
【０００２】
例えばお茶を抽出するのに用いられる従来の飲料抽出器は、上方開口のポット本体を有し、茶葉と熱湯をそれぞれポット本体の中に入れ、お茶を煎じ出してから、ポット本体を持ち上げて傾けることで、開口からお茶が流れ出るようにして飲用容器に注ぐように操作するものである。
【考案の概要】
【考案が解決しようとする課題】
【０００３】
しかしながら、上記従来の飲料抽出機では、ポット本体を傾けてお茶を注ぐとお茶と共に茶葉も出てきてしまうという不便がある。また、お茶を注ぐ際にポット本体を傾け続けなくてはならず、手間である。
本考案は、上記従来技術の問題点に鑑みてなされたものであり、その目的は、飲料を流し出す際の利便性が向上された飲料抽出器の提供にある。
【課題を解決するための手段】
【０００４】
上記目的を達成するための手段として、本考案は以下の飲料抽出器を提供する。
即ち、飲料となる液体を収容するポット本体と、前記ポット本体を載せるポット座台とを備え、前記ポット本体は、平盤状の底壁部と、前記底壁部の外周縁から立ち上がるように延伸し、上に開口している筒状に形成された周壁部と、前記周壁部の延伸方向と反対の方向に向かって前記底壁部から所定の軸線を中心とする円環状に突出するように形成された凸環部と、前記軸線と所定距離を置いた位置で前記底壁部を貫通するように設けられた貫通孔とを有し、前記ポット座台は、前記ポット本体の前記底壁部が載せられるように平盤状に形成された基部と、前記基部における前記底壁部の底面と接触する面である当接面と、前記ポット本体の前記凸環部と凹凸対応するように前記当接面側から前記軸線を中心とする円環状に窪むように前記基部に形成された環状溝と、前記当接面における前記軸線と前記所定距離と同じ距離を置いた位置に入水口を有すると共に前記基部を貫通するように設けられた液体流出経路とを有することを特徴とする飲料抽出器を提供する。
上記構造において、前記ポット本体は、前記ポット座台に対して、前記凸環部の前記環状溝に対する摺動により、前記貫通孔と前記液体流出経路とが連通する出水位置と、前記貫通孔と前記液体流出経路とが連通しない非出水位置との間で回動可能となる。
【考案の効果】
【０００５】
上記手段によれば、前記ポット本体を前記ポット座台に対して回動させるだけで、前記ポット本体内の液体が前記貫通孔と前記液体流出経路とを通って外部に流出する出水位置と、前記ポット本体内の液体が流出しない非出水位置とにすることができるので、飲料を流し出す際の利便性が向上される。
【図面の簡単な説明】
【０００６】
【図１】本考案に係る飲料抽出器の第１の実施形態を示す分解斜視図である。
【図２】上記第１の実施形態を示す縦断面図である。
【図３】ポット本体が出水位置にある態様を示す、図２のIII−III線で切った断面図である。
【図４】ポット本体が非出水位置にある態様を示す、図３に準ずる断面図である。
【図５】本考案に係る飲料抽出器の第２の実施形態を示す縦断面図である。
【考案を実施するための形態】
【０００７】
以下、添付図面を参照しながら、本考案に係る飲料抽出器の具体的な各実施形態を詳細に説明する。
＜第１の実施形態＞
図１及び図２には、本考案に係る飲料抽出器の第１の実施形態が示されている。本形態において、飲料抽出器は、飲料となる液体を収容するポット本体２と、ポット本体２を載せるポット座台３と、ポット本体２に着脱自在に設けられる蓋４と、ポット本体２の内部に設けられるフィルター５とを備えている。
ポット本体２は、底面２１１を有する平盤状の底壁部２１と、底壁部２１の外周縁から立ち上がるように延伸し、上に開口している筒状に形成された周壁部２２と、周壁部２２の延伸方向と反対の方向、つまり下に向かって底壁部２１から所定の軸線Ｌを中心とする円環状に突出するように形成された凸環部２３と、周壁部２２の内側で底壁部２１から上方に突設されたリム部２４とを有する。また、底壁部２１には、上記軸線Ｌと所定距離を置いた位置で、つまり凸環部２３の中心からずれた位置で底壁部２１を貫通する貫通孔２１２が設けられている。
ポット座台３は、ポット本体２の底壁部２１が載せられるように平盤状に形成された基部３１を有する。基部３１には、ポット本体２の底壁部２１の底面２１１と接触する面である当接面３１１と、ポット本体２の凸環部２３と凹凸対応するように当接面３１１側から上記軸線Ｌを中心とする円環状に窪むように形成された環状溝３１３と、基部３１を貫通する液体流出経路３１２とが設けられている。
液体流出経路３１２は、当接面３１１における上記軸線Ｌと上記所定距離（軸線Ｌと貫通孔２１２との距離）と同じ距離を置いた位置に開口している入水口３１２１と、入水口３１２１と連通しており且つ基部３１の当接面３１１と反対の面である底面３１６側に開口している出水口３１２２とを有する。
本実施形態における出水口３１２２は、上下方向において、ポット座台３の環状溝３１３の円周の内側に位置するように形成されている。具体的には、例えば図２に示されているように、出水口３１２２を入水口３１２１の直下に設けることができる。また、他例としては、出水口３１２２が入水口３１２１と上下方向においてずれるように形成されてもよく、更に、液体流出経路３１２を屈曲するように延長させて、出水口３１２２がポット座台３の環状溝３１３の円周の外側に位置するように形成されてもよい。具体的には、液体流出経路３１２をＬ字型に屈曲させて出水口３１２２をポット座台３の周辺に設けることもできる。
【０００８】
蓋４は、上からポット本体２の上方開口を塞いでポット本体２の内部を覆うように設けられるものであって、ポット本体２の周壁部２２の上端に被せられるように円盤状に形成された上壁４１と、上壁４１の周縁部から下方に延伸するように形成され、上壁４１が周壁部２２の上端に被せられた際にポット本体２の周壁部２２上端の内側に入り込む環状突起４２とを有する。また、上壁４１には、ポット本体２の内部と外部を連通する通気孔４１１が貫設されている。
フィルター５は、例えば茶葉が通らない程度の大きさの孔が複数開けられている平盤状のものであって、その周縁がリム部２４に支えられるようにポット本体２の内部に取り外し可能に設けられる。
ポット本体２の底壁部２１の底面２１１と、ポット座台３の基部３１の当接面３１１とは、互いに密接できるようにそれぞれ形成されている。また、ポット本体２の凸環部２３と、ポット座台３の環状溝３１３とは、上述のように凹凸対応しており且つ互いに摺動できるように形成されている。これにより、ポット本体２とポット座台３とは、底面２１１と当接面３１１とが密接したまま互いに相対回動することができる。
【０００９】
上記構成により、ポット本体２は、例えば、使用者によって回されることで、凸環部２３と環状溝３１３との摺動により、貫通孔２１２の底面２１１側における開口と液体流出経路３１２の入水口３１２１との位置が重なって貫通孔２１２と液体流出経路３１２とが連通する出水位置（図３参照）と、貫通孔２１２の底面２１１側における開口と液体流出経路３１２の入水口３１２１との位置がずれて貫通孔２１２と液体流出経路３１２とが連通しない非出水位置（図４参照）との間で回動可能になる。
なお、非出水位置においては、貫通孔２１２の底面２１１側における開口がポット座台３の基部３１の当接面３１１によって水密的に塞がれる。
使用に際しては、まずポット本体２をポット座台３に載せて非出水位置にあるようにした上で、フィルター４をポット本体２内に設置し、フィルター４上に落ちるように茶葉を入れて、ポット本体２内に湯を注ぎ入れる。非出水位置では上述のように貫通孔２１２が水密的に塞がれているので、注ぎ入れた湯がポット本体２内に貯まる。蓋４をして茶葉を湯に浸して飲料（茶）抽出した後、飲料を注ぎたい時には、ポット本体２を出水位置に回動させれば、飲料が貫通孔２１１、入水口３１２１に流れ込み、液体流出経路３１２を経て出水口３１２２から流出するので、例えば出水口３１２２の下方に置いたコップ（図示せず）に注ぐことができる。この際、茶葉はフィルター４に漉されるので飲料と共に出てきてしまうことがない。一方、飲料の流出を止めたい時には、ポット本体２を再び非出水位置に回動させれば、貫通孔２１１がポット座台３の当接面３１１により再び塞がれるので、飲料の流出を止めることができる。
【００１０】
上述の実施形態のように、本考案に係る飲料抽出器によれば、飲料を流し出す際に、茶葉が出てきてしまうことがない。また、飲料を流し出すにはポット本体２を回動させるだけでよく、ポット本体２を持ち上げて傾け続ける必要がないので、利便性が高い。
なお、ポット本体２が出水位置にあることを使用者が見て取れるように、例えばポット本体２の外面とポット座台３の外面とにそれぞれ目印を付け、両方の目印が重なったところでポット本体２が出水位置に来るような標示を付すこともできる。
【００１１】
＜第２の実施形態＞
図５には、本考案に係る飲料抽出器の第２の実施形態が示されている。本実施形態は、第１の実施形態と比べて、ポット座台３の構成が異なる。
本実施形態のポット座台３は、基部３１に加えて、基部３１の底面３１６に連結されていると共に基部３１の底面３１６の外側まで延伸するように、つまり上から見た際に基部３１の周縁より外側に突き出るように形成されたガイド部３２を更に有する。
液体流出経路３１２は、入水口３１２１が第１の実施形態と同様に基部３１に設けられる一方、出水口３１２２がガイド部３２の先端に設けられる。即ち、本実施形態において液体流出経路３１２は基部３１及びガイド部３２を共に貫通するように設けられ、出水口３１２２が環状溝３１３の円周の外側に位置するようになる。
【００１２】
なお、本考案に係る飲料抽出器を例えばテーブルなどの台の上に載せた際に出水口３１２２の下にコップを置くためのスペースが形成されるように、ポット座台３は、飲料抽出器を支えるための例えば基部３１の底面３１６から下方に延伸するように設けられた複数の脚（図示せず）を有してもよい。
本実施形態によっても、第１の実施形態と同様の効果が得られる上に、ガイド部３２を設けたことにより、出水口３１２２の設置位置がより自由が利き、飲料を注ぐ際の利便性がより高い。
以上、本考案の好ましい実施形態を説明したが、本考案はこれに限定されるものではなく、その要旨を逸脱しない範囲で種々変更可能である。
【産業上の利用可能性】
【００１３】
本考案に係る飲料抽出器は、例えば従来の急須の代わりにお茶を抽出する道具として有用である。
【符号の説明】
【００１４】
２  ポット本体
２１  底壁部
２１１  底面
２１２  貫通孔
２２  周壁部
２３  凸環部
２４  リム部
３    ポット座台
３１  基部
３１１  当接面
３１２  液体流出経路
３１２１  入水口
３１２２  出水口
３１３  環状溝
３１６  底面
３２  ガイド部
４  蓋
４１  上壁
４２  環状突起
４１１  通気孔
５  フィルター
Ｌ  軸線
【図１】
0003196070.tif 000003
【図２】
0003196070.tif 000004
【図３】
0003196070.tif 000005
【図４】
0003196070.tif 000006
【図５】
0003196070.tif 000007